(57)【要約】      （修正有）【課題】全体的な組立時間を短縮させてディスプレー品質を大幅向上させたバックライトアセンブリ、収納容器及び液晶表示装置を提供する。【解決手段】電極ソケット１２０、第２電極１３０、ランプチューブ１１０、ランプチューブ１１０内部のプラズマは一種のキャパシタンスの役割を有する。このように、プラズマが形成された放電空間と電極との間に誘電体を挿入し、誘電容量インピーダンスを形成する場合、放電空間内のイオン及び電子濃度が指定された濃度より高くなるほど誘電容量インピーダンスにより電流の流れが逆に妨害される。これにより、製作当時に互いに相違する電流特性がある複数個のランプが一つのインバータにより駆動されるとき、電流特性が優れた電極は電流の流れが妨害され、電流特性が優れない電極は電流の流れが向上されるという過程を反覆して、ランプ間輝度偏差が補正される。【選択図】図２
2007220673.tif 000002
【特許請求の範囲】
【請求項１】
ランプチューブ及び前記ランプチューブの外部から内部に延びた電極を含むランプと、
前記電極に電気的に接続されたクリップタイプ電圧印加モジュールと、を含むこと特徴とするバックライトアセンブリ。
【請求項２】
前記ランプは、前記電極に接続されたソケットを更に含むことを特徴とする請求項１に記載のバックライトアセンブリ。
【請求項３】
前記クリップタイプ電圧印加モジュールは、前記ソケットをグリップすることを特徴とする請求項２に記載のバックライトアセンブリ。
【請求項４】
ランプチューブ及び前記ランプチューブの外部から内部に延びた電極を含むランプ及び前記電極に電気的に接続されたクリップタイプ電圧印加モジュールを含むバックライトアセンブリと、
光均一性向上手段を通過する光の透過率を調節して画像を表示するように前記バックライトアセンブリに結合された液晶表示パネルアセンブリと、を含むことを特徴とする液晶表示装置。
【請求項５】
ランプチューブ及び前記ランプチューブの外部から内部に延びた電極を含む複数のランプと、
前記ランプの電極を覆い、少なくとも一つの外部面、基準面及び前記ランプチューブを露出する内部空間を取り囲む内部面を有し、前記外部面、前記基準面及び前記内部面によって定義される空間を有するフレームを含む収納容器と、
前記空間に配置され、前記電極とクリップ結合方式で電気的に接続することにより前記電極に電源を供給するクリップタイプ電圧印加モジュールと、を含むことを特徴とするバックライトアセンブリ。
【請求項６】
液晶表示装置のバックライト用ランプのランプチューブに形成された第１及び第２導電部材を固定し、且つ、前記第１及び第２導電部材に電圧を印加する電圧印加手段と、
前記ランプ及び前記電圧印加手段を収納する収納胴体と、を含むことを特徴とする液晶表示装置用収納容器。
【請求項７】
前記収納胴体は、内側縁及び外側縁を有し矩形プレート形状を有する第１面と、前記第１面から突出し前記内側縁に沿って設けられ、前記第１及び第２導電部材が覆われるようにする第２面とを含むことを特徴とする請求項６に記載の液晶表示装置用収納容器。
【請求項８】
前記収納胴体は、前記第２面と対向し、前記第１面から突出し、前記第１面の前記外側縁に沿って設けられる第３面をさらに含むことを特徴とする請求項７に記載の液晶表示装置用収納容器。
【請求項９】
前記電圧印加手段は、前記第１及び第２導電部材をクリップ結合方式で固定するクリップタイプの電圧印加モジュールを有することを特徴とする請求項６に記載の液晶表示装置用収納容器。
【請求項１０】
前記電圧印加手段は、
前記収納胴体に結合される導電性ベース胴体と、
前記ランプの長手方向と平行に前記導電性ベース胴体から突出したクリップ胴体部と、
前記第１及び第２導電部材をグリップするように前記クリップ胴体部から突出したクリップ部と、
を含むことを特徴とする請求項６に記載の液晶表示装置用収納容器。
【請求項１１】
前記導電性ベース胴体に形成された結合孔と、前記ランプに駆動電力を供給する電力線に設けられた結合端子とは、ねじを媒介として結合されることを特徴とする請求項１０に記載の液晶表示装置用収納容器。
【請求項１２】
前記電力線は前記収納容器の縁に沿ってバイパスされることを特徴とする請求項１１に記載の液晶表示装置用収納容器。
【請求項１３】
前記収納胴体と前記電圧印加手段との間に配置された衝撃吸収部材を有し、
前記収納胴体、前記電圧印加手段及び前記衝撃吸収部材は、ねじにより締結されることを特徴とする請求項６に記載の液晶表示装置用収納容器。
【請求項１４】
前記収納胴体に前記電圧印加手段が結合された状態で、前記電圧印加手段の上面には衝撃吸収部材が位置し、
前記収納胴体、前記電圧印加手段及び前記衝撃吸収部材は、ねじにより締結されることを特徴とする請求項６に記載の液晶表示装置用収納容器。
【請求項１５】
前記収納胴体と前記電圧印加手段との間に配置された第１衝撃吸収部材と、
前記電圧印加手段の上面に配置された第２衝撃吸収部材と、を有し、
前記収納容器、前記電圧印加手段、前記第１衝撃吸収部材及び第２衝撃吸収部材は、ねじにより締結されることを特徴とする請求項６に記載の液晶表示装置用収納容器。
【請求項１６】
複数の前記ランプが並列方式で配置され、
前記複数のランプは少なくとも２個以上のグループに分けられ、
前記電圧印加手段は、前記グループ別に電圧を印加することを特徴とする請求項１５に記載の液晶表示装置用収納容器。
【請求項１７】
ランプチューブを有し且つ前記ランプチューブに第１及び第２導電部材が形成された、光を発生するためのランプ、前記第１及び第２導電部材を固定し且つ前記第１及び第２導電部材に電圧を印加する電圧印加手段、並びに前記ランプ及び前記電圧印加手段を収納する収納胴体を含むバックライトアセンブリと、
前記ランプから発生した光を用いて画像を表示する液晶表示パネルアセンブリとを含むことを特徴とする液晶表示装置。
【請求項１８】
前記電圧印加手段は、前記第１及び第２導電部材をクリップ結合方式で固定するクリップタイプタイプの電圧印加モジュールを有することを特徴とする請求項１７に記載の液晶表示装置。
【請求項１９】
前記収納胴体と前記電圧印加手段との間に配置された第１衝撃吸収部材と、
前記電圧印加手段の上面に配置された第２衝撃吸収部材と、を有し、
前記収納容器、電圧印加手段、第1衝撃吸収部材及び第２衝撃吸収部材は、ねじにより締結されることを特徴とする請求項１７に記載の液晶表示装置。
【請求項２０】
前記電圧印加手段は、前記収納胴体に結合される導電性ベース胴体、前記ランプの長手方向と平行するように前記導電性ベース胴体から突出したクリップ胴体部、並びに前記第１及び第２導電部材をグリップするように前記クリップ胴体から突出したクリップ部を含むことを特徴とする請求項１８に記載の液晶表示装置。
【請求項２１】
前記ランプから発生した光の均一性を向上させ、前記液晶表示パベルアセンブリに均一性の向上した光を提供するための光均一性向上部材を更に含むことを特徴とする請求項１７に記載の液晶表示装置。
【請求項２２】
前記収納胴体は、前記第１及び第２導電部材の少なくとも一部を覆い、前記ランプチューブの少なくとも一部を露出するようなフレーム形状を有することを特徴とする請求項１７に記載の液晶表示装置。
【請求項２３】
前記第１及び第２導電部材のうち、少なくとも一つは前記ランプチューブの外面の一部を囲む電極ソケットを含むことを特徴とする請求項１７に記載の液晶表示装置。
【請求項２４】
前記収納胴体は、前記第１及び第２導電部材の少なくとも一部を覆い、前記ランプチューブの少なくとも一部を露出するようなフレーム形状を有することを特徴とする請求項６に記載の液晶表示装置用収納容器。
【発明の詳細な説明】
【技術分野】
【０００１】
本発明は、冷陰極線管方式ランプ、これを有する収納容器及びこれを有する液晶表示装置に関するものであり、より詳細には、本発明は一つの駆動装置で複数個のランプが同時に駆動するとき発生する輝度不均一の防止、組立容易性及び耐衝撃性までも向上した冷陰極線管方式ランプ、これを有する収納容器及びこれを有する液晶表示装置に関するものである。
【背景技術】
【０００２】
最近、半導体産業及び電子産業の技術開発の急速な普及により、短時間内に膨大なデータを処理する情報処理装置の技術開発も飛躍的に発展している。
【０００３】
このような情報処理装置は、莫大なデータを処理して結果データを算出するが、これを使用者に直接ディスプレーしない。このような理由で、情報処理装置で処理されたデータは情報処理装置と使用者との間でインターフェース役割を有するディスプレー装置を通じてディスプレーされる。この時、ディスプレー装置でディスプレーされるデータは文字、画像及び動画像の形態である。
【０００４】
このような機能を有するディスプレー装置は、アナログディスプレー装置とデジタルディスプレー装置に区分される。この時、アナログディスプレー装置としてはＣＲＴ方式ディスプレー装置が代表的であり、デジタルディスプレー装置としては液晶表示装置が代表的である。
【０００５】
これらのうち、ＣＲＴ方式ディスプレー装置は電子銃で高速に放出された電子の進行位置をブラウン管内で精密に制御してディスプレーを実施する。このようなＣＲＴ方式ディスプレー装置は、高品質ディスプレーが可能であるが、有効ディスプレー面積が大きくなるほど体積及び重さが大幅に増加する。このような理由で、ＣＲＴ方式ディスプレー装置はアナログ方式ディスプレー装置と称される。
【０００６】
一方、液晶表示装置は透明な２枚の基板間に厚さが数μｍにすぎない液晶層を形成する。このとき、いずれか一つの基板の内側表面では、この液晶層に微細面積単位に電圧を加えて、液晶層の各部分での光の透過度が精密に制御されるようにする。
【０００７】
これを具現するために、向き合う２枚の基板のうちのいずれか一つの内側表面には、マトリックス形態に薄膜トランジスターが形成される。この薄膜トランジスターの出力電極には透明な画素電極が形成される。この画素電極は、液晶に電圧を加えるための２個の電極のうちの一つである。
【０００８】
一方、液晶に電圧を加えるためのもう一つの電極は、２枚の基板のうちの他の一つの内側表面に形成された透明な共通電極である。この時、共通電極には所定のリファレンス電圧が供給される。
【０００９】
このような構成により、液晶の光透過度を制御することを簡略に説明すると次のとおりである。
【００１０】
まず、薄膜トランジスターを個別的に制御するために各画素電極には、所定の電圧が各々供給されるようにする。勿論、共通電極には均一なリファレンス電圧が供給される。これにより、各々の画素電極と共通電極との間には相異する電界が形成され、この電界によって液晶の配列は精密に変更される。このように、液晶の配列が変更されるにつれて液晶を通過する光量も変更される。このように、光量が調節された光を共通電極の後面に予め形成された色画素を通過させることによりフルーカラーディスプレーを実施する。
【００１１】
この時、前述したＣＲＴ方式デイスプレー装置は光が存在しないところでもディスプレーを実施することができるが、液晶表示装置は光が存在しない場合、又は足りないところでは全くディスプレーを実施できない。
【００１２】
これは、液晶表示装置が光に依存するディスプレー装置であるためである。このような理由で、液晶表示装置でディスプレーを実施するためには、どんな形態であっても光を必要とする。この光は、太陽光、室内照明燈のように外部光が利用され、又は液晶表示装置自体に充填された電気エネルギーを消費して生成された人工光とすることもできる。
【００１３】
この時、外部光を利用する場合、消費電力は最小化することができるが、光がないところではディスプレーを実施することができない。このような理由で、最近電気エネルギーを消費して発生する人工光を利用してディスプレーを実施する方法が広く使用されている。
【００１４】
この時、人工光を生成する装置は相当に多様な“ランプ”が使用されることができるが、主に冷陰極線管方式ランプが使用される。この冷陰極線管方式ランプは発熱量が少なく、液晶の液化を防止することは勿論、消費電力が低く、動作寿命が長いという長所を有するので、広く使用される。
【００１５】
しかし、最近液晶表示装置の有効ディスプレー面積が大きく増加し、１個の冷陰極線管方式ランプのみでは必要とする輝度を満足することが困難であるために、最近では中大型モニター、中大型高画質テレビなどには少なくとも２個以上により構成された複数冷陰極線管方式ランプが適用され使用される。
【００１６】
しかし、このように複数冷陰極線管方式ランプを使用する場合、１個の冷陰極線管方式ランプを使用するときには発生しなかった、予想されなかった問題点が発生する。
【００１７】
この問題点は、特に、複数個の“冷陰極線管方式ランプ”を一つの電力供給装置に並列に連結するときに頻繁に発生する。
【００１８】
このような方式、即ち、一つの電力供給装置に並列に冷陰極線管方式ランプを連結する場合、電流流れ特性が優れた冷陰極線管方式ランプは段々明るくなり、電流流れ特性が相対的によくない冷陰極線管方式ランプは段々暗くなる。
【００１９】
このような理由で、複数個の冷陰極線管方式ランプを一つの電力供給装置に並列に連結したときに発生する輝度不均一の問題を解決することができる技術開発を必要とする。
【発明の開示】
【発明が解決しようとする課題】
【００２０】
本発明の第１目的は、一つの電力供給装置に１個以上のランプが並列に連結されても、輝度不均一が発生しないようにすることは勿論、消費電力を最小化する冷陰極線管方式ランプを提供することにある。
【００２１】
また、本発明の第２目的はランプ間輝度不均一を防止し、低い消費電力を有する冷陰極線管方式ランプの組立が容易であるようにし、外部から加えられる衝撃により冷陰極線管方式ランプの破損頻度を低下させることは勿論、複数個の冷陰極線管方式ランプが同時に駆動されることができるようにする収納容器を提供することにある。
【００２２】
また、本発明の第３目的は、有効ディスプレー領域での輝度偏差を最小化し、ディスプレーに所要される消費電力を最小化し、全体的な組立時間を短縮させてディスプレー品質を大幅向上させた液晶表示装置を提供することにある。
【００２３】
本発明によると、一つの電力供給装置に複数個の冷陰極線管方式ランプを連結することにより発生する輝度不均一を防止し、また消費電力を大きく減少させ、冷陰極線管方式ランプを組立てる過程を短縮させる。
【課題を解決するための手段】
【００２４】
本発明の一実施形態によると、
ランプチューブ及び前記ランプチューブの外部から内部に延びた電極を含むランプと、
前記電極に電気的に接続されたクリップタイプ電圧印加モジュールと、を含むこと特徴とするバックライトアセンブリが提供される。
【００２５】
本発明の一実施形態によると、
ランプチューブ及び前記ランプチューブの外部から内部に延びた電極を含むランプ及び前記電極に電気的に接続されたクリップタイプ電圧印加モジュールを含むバックライトアセンブリと、
光均一性向上手段を通過する光の透過率を調節して画像を表示するように前記バックライトアセンブリに結合された液晶表示パネルアセンブリと、を含むことを特徴とする液晶表示装置が提供される。
【００２６】
本発明の一実施形態によると、
ランプチューブ及び前記ランプチューブの外部から内部に延びた電極を含む複数のランプと、
前記ランプの電極を覆い、少なくとも一つの外部面、基準面及び前記ランプチューブを露出する内部空間を取り囲む内部面を有し、前記外部面、前記基準面及び前記内部面によって定義される空間を有するフレームを含む収納容器と、
前記空間に配置され、前記電極とクリップ結合方式で電気的に接続することにより前記電極に電源を供給するクリップタイプ電圧印加モジュールと、を含むことを特徴とするバックライトアセンブリが提供される。
【００２７】
本発明の一実施形態によると、
液晶表示装置のバックライト用ランプのランプチューブに形成された第１及び第２導電部材を固定し、且つ、前記第１及び第２導電部材に電圧を印加する電圧印加手段と、
前記ランプ及び前記電圧印加手段を収納する収納胴体と、を含むことを特徴とする液晶表示装置用収納容器が提供される。
【００２８】
本発明の一実施形態によると、
ランプチューブを有し且つ前記ランプチューブに第１及び第２導電部材が形成された、光を発生するためのランプ、前記第１及び第２導電部材を固定し且つ前記第１及び第２導電部材に電圧を印加する電圧印加手段、並びに前記ランプ及び前記電圧印加手段を収納する収納胴体を含むバックライトアセンブリと、
前記ランプから発生した光を用いて画像を表示する液晶表示パネルアセンブリとを含むことを特徴とする液晶表示装置が提供される。
【発明の効果】
【００２９】
本発明によると、一つの電力供給装置に複数個の冷陰極線管方式ランプを連結することにより発生する輝度不均一を防止し、消費電力を大きく減少させ、冷陰極線管方式ランプを組立てる過程を短縮させるなど、多様な効果を奏する。
【発明を実施するための最良の形態】
【００３０】
以下、図面を参照して本発明の望ましい実施形態をより詳細に説明する。
【００３１】
図１の図面符号１００は冷陰極線管方式ランプである。この冷陰極線管方式ランプ１００は図１３に示す液晶表示装置９００の一部を構成し、ディスプレーに必要とする光を発生させる役割を有する。
【００３２】
このような冷陰極線管方式ランプ１００は、添付された図１又は図２に示すように、ランプチューブ１１０、第１電極１２５、電極ソケット１２０、第２電極１３０により構成される。
【００３３】
一実施形態として、ランプチューブ１１０は所定厚さ及び所定長さを有する透明なチューブ形態を有する。この時、ランプチューブ１１０の内壁には、蛍光物質１１５が形成される。この蛍光物質１１５は使用者の目から見えない光を使用者の目が認識することができる可視光線にコンバーティングする役割を有する。また、ランプチューブ１１０の内部には、蛍光物質１１５を刺激して可視光線が発生されるようにする動作ガス１５０が注入される。
【００３４】
このような構成を有するランプチューブ１１０には、図２に示すように第１電極１２５、電極ソケット１２０及び第２電極１３０が結合される。このとき、第１電極１２５及び第２電極１３０の配置が非常に重要である。
【００３５】
図２に示すように、第１電極１２５はランプチューブ１１０の所定位置、一実施形態としてランプチューブ１１０の一方の縁に設けられる。この時、第１電極１２５の一部はランプチューブ１１０の外部に位置し、第１電極１２５の残りはランプチューブ１１０の内部に位置する。
【００３６】
この時、第１電極１２５のうちのランプチューブ１１０の外部に突出された部分は非常に小さく電力を供給することが困難であり、組立が難しいために、本発明では第１電極１２５に電極ソケット１２０を連結して組立てる。この電極ソケット１２０は外部で電極を供給する部材と結合される面積をより大きくする役割を有する。
【００３７】
より詳細に、電極ソケット１２０はランプチューブ１１０の端部に挿入されるキャップ形状を有する。この時、電極ソケット１２０により覆われる部分はランプチューブ１１０の端部及び円周面の一部である。このような電極ソケット１２０の第１電極１２５と向き合う部分には、貫通孔が形成される。この貫通孔を通じて、第１電極１２５と電極ソケット１２０とが電気的に結合される。以後、電極ソケット１２０及び第１電極１２５は分離されないようにはんだ（ソルダ）１２７により固定される。
【００３８】
一方、図１又は図２に示すように、第１電極１２５と離隔されるように、ランプチューブ１１０に第２電極１３０が配置される。このとき、第２電極１３０は無電解プレーティング（ｅｌｅｃｔｒｏｌｅｓｓ  ｐｌａｔｉｎｇ）方式によりランプチューブ１１０の表面に電極ソケット１２０の表面積より大きな面積に形成される。
【００３９】
この無電解プレーティング方式は、収容液に含まれた金属イオンが還元剤（ｒｅｄｕｃｉｎｇ  ａｇｅｎｔ）により電子の供給を受けて金属分子に還元されるようにし、ランプチューブ１１０の表面に緻密な金属薄膜が形成されるようにする。この無電解プレーティングの長所は、金属ではない非金属材料にもプレーティング可能であるというものである。
【００４０】
このような構成を有する本発明の一実施形態による冷陰極線管方式ランプ１００は消費電力及び輝度均一性の面で、非常に優れた性能を有する。
【００４１】
ランプチューブ１１０の内部に電極が形成されると、従来電子及びイオンの密度の高い分だけの電流の流れも増加されるので、ランプ間輝度不均一を招来する原理として、本発明の理解において相当に重要な点である。
【００４２】
本願発明のようにランプチューブ１１０の外部に電極ソケット１２０及び第１電極１３０を形成する場合、ランプチューブ１１０の一部は電極ソケット１２０、第２電極１３０により覆われ、この覆われた部分は誘電体の役割を有する。
【００４３】
具体的に、ランプチューブ１１０のうちの電極により覆われる部分は、ランプチューブ１１０の内部で電子及びイオンの密度が高くなるほどランプチューブ１１０の内部に存在する電子が電極に移動することを妨害する役割を有する。
【００４４】
より具体的に、電極ソケット１２０、第２電極１３０、ランプチューブ１１０、ランプチューブ１１０内部のプラズマは一種のキャパシタンスの役割を有する。このように、プラズマが形成された放電空間と電極との間に誘電体を挿入し、誘電容量インピーダンスを形成する場合、放電空間内のイオン及び電子濃度が指定された濃度より高くなるほど誘電容量インピーダンスにより電流の流れが逆に妨害される。
【００４５】
これにより、製作当時に互いに相違する電流特性がある複数個のランプが一つのインバータにより駆動されるとき、電流特性が優れた電極は電流の流れが妨害され、電流特性が優れない電極は電流の流れが向上されるという過程を反覆して、ランプ間輝度偏差が補正される。
【００４６】
このように、優れた性能を有する冷陰極線管方式ランプ１００は図３に示したような収納容器２００に収納される。
【００４７】
この時、収納容器２００には図１又は図２で説明した複数個の冷陰極線管方式ランプ１００が同時に収納及び外部で冷陰極線管方式ランプ１００に駆動電力が供給されるに適合した構成を有する。
【００４８】
このために、収納容器２００は収納胴体及びクリップタイプ電圧印加モジュールにより構成される。
【００４９】
図３は、収納容器２００の構成要素である収納胴体２５０の外観斜視図を示す。この収納胴体２５０は、前述した冷陰極線管方式ランプ１００を固定する役割を有する。このとき、収納胴体２５０は、冷陰極線管方式ランプ１００の電極ソケット１２０及び第２電極１３０は覆われるようにし、ランプチューブ１１０は外部に対して露出されるようにする。
【００５０】
以下、収納容器２００を構成する収納胴体２５０のより詳細な構成を図３乃至図５を参照して説明する。
【００５１】
まず、図３に示すように、収納胴体２５０は、図４に示したように基準になる第１面２１０、第２面２２０及び第３面２３０により構成される。この時、第３面２３０は選択的に形成されることができる。
【００５２】
この時、第１面２１０は内側縁２１３及び外側縁２１４を有するフレーム形状を有している。第２面２２０は、所定高さで第１面２１０から突出するように前記第１面２１０の内側縁２１３に沿って形成される。一方、第３面２３０は、第１面２１０の外側縁２１４に沿って、第２面２２０の突出方向と同一の方向に突出するように形成される。
【００５３】
この時、第１面２１０及び第２面２２０により形成された空間２１７のうちの一部には、冷陰極線管方式ランプ１００の電極ソケット１２０及び第２電極１３０が位置する。第２面２２０により取り囲まれた空間２１８には冷陰極線管方式ランプ１００のランプチューブ１１０が位置する。
【００５４】
この時、電極ソケット１２０及び第２電極１３０が第１面２１０及び第２面２２０により形成された内部空間２１７に位置するためには第２面２２０の一部が除去されなければならない。このような理由で、図３に示したように第２面２２０の一部には向き合う開口２２２が形成される。この時、開口２２２の個数は図１又は図２に示した冷陰極線管方式ランプ１００の個数と同一であるようにする。
【００５５】
一方、第１面２１０の内部空間２１７側の面には、クリップタイプ電圧印加モジュールが設けられる。このクリップタイプ電圧印加モジュールは、図６乃至図８に図面符号３０１、３０２で示される。
【００５６】
このクリップタイプ電圧印加モジュール３０１、３０２は収納容器２００と冷陰極線管方式ランプ１００が容易に結合／分離されるようにする。
【００５７】
このような、クリップタイプ電圧印加モジュール３０１、３０２は冷陰極線管方式ランプ１００の電極ソケット１２０及び第２電極１３０に電圧を印加する。
【００５８】
このクリップタイプ電圧印加モジュール３０１、３０２は、導電性ベース胴体３１０、クリップ胴体部３２０、クリップ部３３０により構成される。
【００５９】
一実施形態として、導電性ベース胴体３１０は厚さが薄く幅が狭く、長さが長い直方体プレート形状を有する。この導電性ベース胴体３１０は図８に示したように収納胴体２５０の第１面２１０に前記冷陰極線管方式ランプ１００が延びる方向に対して垂直方向に設けられる。
【００６０】
このような導電性ベース胴体３１０には、冷陰極線管方式ランプ１００が離隔された間隔と同一の間隔でクリップ胴体部３２０が突出して形成される。この時、クリップ胴体部３２０は、冷陰極線管方式ランプ１００が延びた方向と同一の方向に突出し、冷陰極線管方式ランプ１００の電極ソケット１２０及び第２電極１３０とオーバーラップする。
【００６１】
このような状態で、クリップ胴体部３２０には、冷陰極線管方式ランプ１００の電極ソケット１２０または第２電極１３０をグリップ（ｇｒｉｐ）することができるように１個以上のクリップ部３３０が長く延びる。本発明では望ましい一実施形態としてクリップ胴体部３２０の両側で互いに離隔された２個のクリップ部３３０が突出された後、折り曲げられて、冷陰極線管方式ランプ１００の電極ソケット１２０または第２電極１３０と結合される。
【００６２】
この時、導電性ベース胴体３１０−クリップ胴体部３２０−クリップ部３３０は、全て導体で、冷陰極線管方式ランプ１００の電極ソケット１２０及び第２電極１３０を固定し、及び外部電源から電力供給されるようにする。
【００６３】
このような導電性ベース胴体３１０は、収納胴体２５０の第１面２１０に、ねじ４３０を媒介として結合される。このために、導電性ベース胴体３１０には、隣合うクリップ胴体部３２０間に、ねじ４３０と締結される締結部３４０（図６、図７）が形成される。
【００６４】
一方、冷陰極線管方式ランプ１００の電極ソケット１２０及び第２電極１３０に結合される導電性ベース胴体３１０には、図８に示したように電力供給ライン３７０が連結される。この時、電力供給ライン３７０の端部には環形形状を有する導電性の結合端子３８０が設けられ、導電性ベース胴体３１０には結合孔３５０が形成される。これら電力供給ライン３７０の結合端子３８０と導電性ベース胴体３１０の結合孔３５０とは、一実施形態としてねじ４３０により堅固に結合される。
【００６５】
一方、他の実施形態として図９に示すように、複数個の冷陰極線管方式ランプ１００は、少なくとも２個以上のグループによりグルーピングされる。同図においてグルーピングされた各々の冷陰極線管方式ランプに図面符号１７０、１８０を付与する。
【００６６】
この時、各冷陰極線管方式ランプグループ１７０、１８０の電極ソケット１２０には、グループの個数に分けられた第１クリップタイプ電圧印加モジュール３０１ａ、３０１ｂが結合され、各々の冷陰極線管方式ランプグループ１７０、１８０の第２電極１３０には、グループの個数に分けられた第２クリップタイプ電圧印加モジュール３０２ａ、３０２ｂが形成される。
【００６７】
この時、グループの個数に分割された第１クリップタイプ電圧印加モジュール３０１ａ、３０１ｂ及び第２クリップタイプ電圧印加モジュール３０２ａ、３０２ｂに連結された信号線３７０ａ、３７０ｂ、３７０ｃ、３７０ｄは、収納胴体２５０の縁部に沿ってバイパスされた後、収納胴体２５０の外部に引き出される。
【００６８】
一方、図８、図１０又は図１１に示すように、冷陰極線管方式ランプ１００の電極ソケット１２０、第２電極１３０がクリップタイプ電圧印加モジュール３０１、３０２のクリップ部３３０に各々グリップ（ｇｒｉｐ）された状態で収納胴体２５０に強い衝撃が加えられる場合、収納胴体２５０に加えられた衝撃は収納胴体２５０、クリップタイプ電圧印加モジュール３０１、３０２を経て冷陰極線管方式ランプ１００に伝達される。
【００６９】
この時、冷陰極線管方式ランプ１００は収納胴体２５０及びクリップタイプ電圧印加モジュール３０１、３０２に比べ脆性が弱い。このような理由で、冷陰極線管方式ランプ１００は収納胴体２５０及びクリップタイプ電圧印加モジュール３０１、３０２が破損されない程度の微弱な衝撃によっても損傷される場合がある。
【００７０】
本発明では、このような冷陰極線管方式ランプ１００が外部衝撃により破損されることを防止するために収納胴体２５０に第１、第２衝撃吸収部材４１０、４２０がさらに設けられる。
【００７１】
第１衝撃吸収部材４１０は、一実施形態として所定の厚さを有する直方体プレート形状を有する。本発明では第１衝撃吸収部材４１０の一実施形態として衝撃を吸収するラバーが使用される。
【００７２】
この時、図８、図１０又は図１１に示すように、第１衝撃吸収部材４１０はクリップタイプ電圧印加モジュール３０１、３０２と第１面２１０との間に位置し、第１面２１０とクリップタイプ電圧印加モジュール３０１、３０２が結合されるとき、同時に結合される。
【００７３】
この第１衝撃吸収部材４１０は外部から加えられた衝撃を吸収して冷陰極線管方式ランプ１００に衝撃が伝達されないようにする。
【００７４】
一方、図８、図１０又は図１１に示すように、第２衝撃吸収部材４２０はクリップタイプ電圧印加モジュール３０１、３０２の上面のみに切片の形態で重ねて付けた後、ねじ４３０に締結する方式に使用してもよい。
【００７５】
最も望ましいものは、まず、第１面２１０とクリップタイプ電圧印加モジュール３０１、３０２との間には、直方体プレート形状を有する第１衝撃吸収部材４１０を位置させる。そして、クリップタイプ電圧印加モジュール３０１、３０２の上面には、第２衝撃吸収部材４２０を位置させた状態で、これらをねじ４３０に全て結合させることが衝撃吸収の面で一番有利である。
【００７６】
このような、過程を経て冷陰極線管方式ランプ１００、収納胴体２５０、クリップタイプ電圧印加モジュール３０１、３０２が組立てられた形態が、図１２に示している。
【００７７】
図１３には、前述した収納容器２００及び収納容器２００に結合された冷陰極線管方式ランプ１００を用いて画像をディスプレーする液晶表示装置９００が示している。
【００７８】
液晶表示装置９００は、バックライトアセンブリ５００及び液晶表示パネルアセンブリ６００により主に構成される。この液晶表示装置９００には、選択的にバックライトアセンブリ５００及び液晶表示パネルアセンブリ６００を連結する中間収納容器７００、トップシャーシ８００をさらに含むことができる。
【００７９】
具体的に、液晶表示パネルアセンブリ６００は、液晶表示パネル６１０及び駆動装置６２０、６３０により構成される。
【００８０】
液晶表示パネル６１０は図１４及び図１５に示すように、カラーフィルタ基板６０５、ＴＦＴ基板６０７及び液晶６０３により構成される。
【００８１】
図１４に示すように、ＴＦＴ基板６０７は透明基板、薄膜トランジスター６０８、ゲートライン６０９ａ、データライン６０９ｂ及び画素電極６０９ｃにより構成される。
【００８２】
より具体的に、透明基板には半導体薄膜工程によりマトリックス形態に薄膜トランジスター６０８が形成される。この薄膜トランジスター６０８は図１５に示したように、チャンネル層６０８ａ、第１絶縁層６０８ｂ、ゲート電極６０８ｃ、第２絶縁層６０８ｄ、ソース電極６０８ｅ及びドレーン電極６０８ｆにより構成される。
【００８３】
具体的には、透明基板上に形成されたチャンネル層６０８ａはアモルファスシリコンで形成され、マトリックス状に配置される。このチャンネル層６０８ａは第１絶縁層６０８ｂにより絶縁される。また、第１絶縁層６０８ｂのうちのチャンネル層６０８ａの上部に該当するところには、金属物質からなるゲート電極６０８ｃが形成される。このゲート電極６０８ｃに電圧が印加されないときは、チャンネル層６０８ａは電気が通じない不導体状態であり、ゲート電極６０８ｃに電圧が印加されると、チャンネル層６０８ａは電気が通じる導体状態になる。
【００８４】
一方、このようなゲート電極６０８ｃ、第２絶縁層６０８ｄにより絶縁される。続いて、第２絶縁層６０８ｄ、第１絶縁層６０８ｂにはゲート電極６０８ｃの両側に該当するチャンネル層６０８ａが外部に対して露出されるように、コンタクトホールが形成される。
【００８５】
続いて、コンタクトホールを介して、チャンネル層６０８ａには、導電性ソース電極６０８ｅ及び導電性ドレーン電極６０８ｆが各々連結され、薄膜トランジスター６０８が製造される。
【００８６】
この時、ソース電極６０８ｅにはデータライン６０９ｂが連結され、ゲート電極６０８ｃにはゲートライン６０９ａが連結され、ドレーン電極６０８ｆには透明な画素電極が形成される。
【００８７】
説明されない図面符号６０９ｄは配向膜であり、図面符号６０９ｆは配向膜に形成されたアライン溝である。
【００８８】
一方、カラーフィルタ基板６０５は再び透明基板、ＲＧＢ色画素６０４ａ及び共通電極６０４ｂにより構成される。
【００８９】
この時、カラーフィルタ基板６０５のＲＧＢ色画素６０４ａとＴＦＴ基板６０７の画素電極６０９ｃとが相互に対向する関係を有するように組み立てられる。このような、ＲＧＢ色画素６０４ａの上面には、所定の電圧が印加される共通電極６０４ｂが全面積にわたって形成される。
【００９０】
説明されない図面符号６０４ｃは配向膜であり、図面符号６０４ｄは配向膜に形成されたアライン溝である。
【００９１】
このような構成を有するＴＦＴ基板６０７のエッジには、液晶６０３が漏洩しないようにシーラント（ｓｅａｌａｎｔ）６０２が塗布され及びスペーサが散布される。以後、ＴＦＴ基板６０７とカラーフィルタ基板６０５は、所定のセルギャップが発生するように相互に固定される。以後、ＴＦＴ基板６０７とカラーフィルタ基板６０５との間に形成されたセルギャップには液晶が注入される。
【００９２】
この時、各薄膜トランジスター６０８に形成された画素電極６０９ｃと共通電極６０４ｂとの間に位置した液晶６０３は画素電極６０９ｃに印加された電圧の大きさにより光透過度を変更させる。
【００９３】
この時、液晶６０３の光透過度を制御するために、ゲートライン６０９ａには、テープキャリアパッケージを介してゲート印刷回路基板６３０が結合され、データライン６０９ｂにはテープキャリアパッケージを介してソース印刷回路基板６２０が結合される。
【００９４】
このような構成を有する液晶表示パネルアセンブリ６００は、液晶表示パネル６１０との間に注入された液晶６０３を微細面積単位で制御することができる。しかし、このような液晶表示パネルアセンブリ６００のみとしては、どんな情報もディスプレーできない。
【００９５】
これは液晶６０３が単に光量を調節する役割を有するだけだからである。このような理由で、液晶表示装置９００でディスプレーを実施するためには、光を必要とする。
【００９６】
また、輝度が不均一な光は、ディスプレーに使用することができない。輝度が不均一な光をディスプレーに使用する場合、画面が分割され見えたり、画面の一部は暗く、他の一部は激しく明るく見えるためである。
【００９７】
結局、液晶表示装置９００で使用される光は輝度が均一な光でなければならない。
【００９８】
このために、本発明による液晶表示装置９００には均一な輝度を発生させるバックライトアセンブリ５００が使用される。
【００９９】
バックライトアセンブリ５００は、バックカバー４５０、収納容器２００、冷陰極線管方式ランプ１００、ランプ用電力供給装置（図示せず）、及び均一性向上モジュール７１０、７２０により構成される。
【０１００】
冷陰極線管方式ランプ１００は図１又は図２に示したように、ランプチューブ１１０、第１電極１２５、電極ソケット１２０及び第２電極１３０により構成される。
【０１０１】
この時、ランプチューブ１１０の内壁には蛍光物質からなる蛍光物質層１１５が形成され、及び動作ガス１５０が注入される。
【０１０２】
一方、第１電極１２５の一部はランプチューブ１１０の内部に位置し、他の一部はランプチューブ１１０の外部に位置する。この時、ランプチューブ１１０の外部に位置する第１電極１２５が電極ソケット１２０に形成された貫通孔に結合された後、第１電極１２５と電極ソケット１２０ははんだ付けされる。
【０１０３】
一方、第２電極１３０はランプチューブ１１０の外部に形成される。この時、第２電極１３０は、不導体であるランプチューブ１１０の表面に導電体をコーティングするための、前述したような無電解プレーティング方式により形成される。
【０１０４】
このような構成を有する冷陰極線管方式ランプ１００は、収納容器２００内に収納される。
【０１０５】
この時、収納容器２００は、図８に示したように収納胴体２５０とクリップタイプ電圧印加モジュール３０１、３０２とにより構成される。
【０１０６】
より具体的に、収納胴体２５０は前述した冷陰極線管方式ランプ１００のランプチューブ１１０は最大限露出され且つ電極ソケット１２０及び第２電極１３０は覆われるように、矩形プレート形状に形成される。この時、収納胴体２５０には複数個の冷陰極線管方式ランプ１００が並列に並べて形成される。
【０１０７】
この時、冷陰極線管方式ランプ１００と収納胴体２５０は、クリップタイプ電圧印加モジュール３０１、３０２を介して結合される。
【０１０８】
この時、クリップタイプ電圧印加モジュール３０１、３０２は全ての冷陰極線管方式ランプ１００に電力が供給されるようにする。このために、長い導電性ベース胴体３１０には、冷陰極線管方式ランプ１００の電極ソケット１２０及び第２電極１３０をグリップすることができるようにクリップ胴体部３２０及びクリップ部３３０が形成される。
【０１０９】
一方、導電性ベース胴体３１０と収納胴体２５０との間には、収納胴体２５０に加えられた衝撃が冷陰極線管方式ランプ１００に到達する前に吸収されるように、図８に示したように第１衝撃吸収部材４１０が設けられる。又は、導電性ベース胴体３１０の上面に第２衝撃吸収部材４２０を設けることもできる。これと別に、導電性ベース胴体３１０と収納胴体２５０との間及び導電性ベース胴体３１０の上面に第１、第２衝撃吸収部材４１０、４２０を設けることができる。
【０１１０】
一方、電極ソケット１２０及び第２電極１３０と連結された導電性ベース胴体３１０には電力供給線が連結され、電力供給線にはランプ用電力供給装置（図示せず）が連結される。これにより、冷陰極線管方式ランプ１００は、収納胴体２５０に固定された状態で光を発生する。
【０１１１】
しかし、収納胴体２５０に固定された状態で光を発生させる冷陰極線管方式ランプ１００の間では、輝度偏差が非常に大きい。このような冷陰極線管方式ランプ１００の間で発生する大きな輝度偏差を克服するために、収納容器２００には、光均一性向上モジュール７１０、７２０がさらに設けられる。
【０１１２】
この光均一性向上モジュール７１０、７２０は、拡散プレート７１０と光学シート７２０とにより構成される。
【０１１３】
これら拡散プレート７１０及び光学シート７２０には、図１３に示したように、側面の一部が突出された結合突起部７１５、７２５が形成され、各結合突起部７１５、７２５には２個の結合孔が形成される。
【０１１４】
このような構成を有する拡散プレート７１０及び光学シート７２０は、冷陰極線管方式ランプ１００の電極ソケット１２０及び第２電極１３０が見えないように収納容器２００に載置される。収納容器２００には拡散プレート７１０及び光学シート７２０に形成された結合孔７１５、７２５と結合される結合ポール２９５が形成される。
【０１１５】
このような過程及び組立を経て製作されたバックライトアセンブリ５００は、非常に均一な輝度分布を有する白色光を発生する。このバックライトアセンブリ５００で発生した白色光は前述した液晶表示パネルアセンブリ６００に供給される。この時、バックライトアセンブリ５００及び液晶表示パネルアセンブリ６００は、選択的に中間収納装置７００と称する組立体を媒介として組立てられる。
【０１１６】
その後、液晶表示パネルアセンブリ６００の外側には液晶表示パネル６１０を保護するトップシャーシ８００が設けられ、液晶表示装置が製作される。
【０１１７】
本発明の望ましい実施形態として、ランプチューブの一方に形成された電極を内部電極とし、他方に形成された電極を外部電極とした冷陰極線管方式ランプチューブを、クリップタイプ電圧印加モジュールを有する収納容器に適用したことが説明及び示されている。
【０１１８】
しかし、その他にも、２個の電極がいずれもランプチューブの内部に位置する冷陰極線管方式ランプの両電極に電極ソケットを結合した後、クリップタイプ電圧印加モジュールを有する収納容器に適用することによっても、前述した実施形態と同様の作用及び効果を得ることができる。
【０１１９】
また、２個の電極がいずれもランプチューブの外部に位置する管外電極タイプ冷陰極線管方式ランプの両電極をそのままクリップタイプ電圧印加モジュールを有する収納容器に適用することも、本発明の変形された実施形態として、前述した実施形態と同様の作用及び効果を得ることができる。
【０１２０】
以上、本発明の実施形態によって詳細に説明したが、本発明はこれに限定されず、本発明が属する技術分野において通常の知識を有するものであれば本発明の思想と精神を離れることなく、本発明を修正または変更できるであろう。
【図面の簡単な説明】
【０１２１】
【図１】本発明の一実施形態による冷陰極線管方式ランプの部分切開斜視図である。
【図２】本発明の一実施形態による冷陰極線管方式ランプを切断して示した断面図である。
【図３】本発明の一実施形態による冷陰極線管方式ランプの収納容器の斜視図である。
【図４】図３のＡ−Ａの断面図である。
【図５】図３のＢ−Ｂの断面図である。
【図６】本発明の一実施形態によるクリップタイプ電圧印加モジュールの平面図である。
【図７】図６に示したクリップタイプ電圧印加モジュールの斜視図である。
【図８】図７のクリップタイプ電圧印加モジュールを収納容器に組立てたことを示した部分切開斜視図である。
【図９】本発明の他の実施形態を示した概念図である。
【図１０】本発明の一実施形態により冷陰極線管方式ランプの電極ソケット部分と収納容器との結合関係を示す説明図である。
【図１１】本発明の一実施形態による冷陰極線管方式ランプの第２電極部分と収納容器との結合関係を示す説明図である。
【図１２】本発明の一実施形態によるバックライトアセンブリの背面図である。
【図１３】本発明の一実施形態による液晶表示装置の全体構成を示した分解斜視図である。
【図１４】本発明の一実施形態によるＴＦＴ基板の構成を示した概念図である。
【図１５】本発明の一実施形態による液晶表示パネルアセンブリの内部を説明するための断面図である。
【符号の説明】
【０１２２】
１００ 冷陰極線管方式ランプ
１１０ ランプチューブ
１１５ 蛍光物質
１２０ 電極ソケット
１２５ 第１電極
１３０ 第２電極
１５０ 動作ガス
２００ 収納容器
２１０ 第１面
２１７ 空間
２２０ 第２面
２２２ 開口
２３０ 第３面
２５０ 収納胴体
３０１、３０２ クリップタイプ電圧印加モジュール
３１０ 導電性ベース胴体
３２０ クリップ胴体部
３３０ クリップ部
３５０ 結合孔
３７０ 電力供給ライン
４３０ ねじ
【図１】
2007220673.tif 000003
【図２】
2007220673.tif 000004
【図３】
2007220673.tif 000005
【図４】
2007220673.tif 000006
【図５】
2007220673.tif 000007
【図６】
2007220673.tif 000008
【図７】
2007220673.tif 000009
【図８】
2007220673.tif 000010
【図９】
2007220673.tif 000011
【図１０】
2007220673.tif 000012
【図１１】
2007220673.tif 000013
【図１２】
2007220673.tif 000014
【図１３】
2007220673.tif 000015
【図１４】
2007220673.tif 000016
【図１５】
2007220673.tif 000017